(57)【要約】【課題】動画表示を行う際に、画像表示と黒表示とを繰り返す駆動方式において、単純な極性反転や画像表示方式を設定することによって、動画画質改善効果を最大限にし、フリッカを防ぐ液晶表示装置の駆動方法および液晶表示装置を提供する。【解決手段】走査線と信号線とで囲まれた画素領域とを備えた液晶表示装置の駆動方法において、画素領域に印加される電圧の極性は２フレーム毎に反転し、かつ偶数行目の走査線は偶数フレームで反転し、奇数行目の走査線は奇数フレームで反転する工程、または偶数行目の走査線は奇数フレームで反転し、奇数行目の走査線は偶数フレームで反転する工程を含むことを特徴とする。【選択図】  図２
2004271719.tif 000002
【特許請求の範囲】
【請求項１】
基板上に形成された複数の走査線と、
この走査線と交差する複数の信号線と、
前記走査線と前記信号線とで囲まれた画素領域とを備えた液晶表示装置の駆動方法において、
前記画素領域に印加される電圧の極性は２フレーム毎に反転し、かつ偶数行目の走査線は偶数フレームで反転し、奇数行目の走査線は奇数フレームで反転する工程、または偶数行目の走査線は奇数フレームで反転し、奇数行目の走査線は偶数フレームで反転する工程を含むことを特徴とする液晶表示装置の駆動方法。
【請求項２】
基板上に形成された複数の走査線と、
この走査線と交差する複数の信号線と、
前記走査線と前記信号線とで囲まれた画素領域とを備えた液晶表示装置の駆動方法において、
前記画素領域の表示は偶数本の信号線毎に黒表示と画像表示が反転し、該黒表示と画像表示は１走査線毎に反転し、さらに前記画素領域の表示は１フレーム毎に反転して繰り返し表示する工程と、
前記画素領域に印加される電圧の極性は２フレーム毎に反転し、かつ偶数行目の走査線は偶数フレームで反転し、奇数行目の走査線は奇数フレームで反転する工程、または偶数行目の走査線は奇数フレームで反転し、奇数行目の走査線は偶数フレームで反転する工程を含むことを特徴とする液晶表示装置の駆動方法。
【請求項３】
前記画素領域に印加される電圧の極性は、同一走査線上で１信号線毎に反転し、かつ同一信号線上で２走査線毎に反転する工程を含むことを特徴とした請求項１または２記載の液晶表示装置の駆動方法。
【請求項４】
前記画素領域の表示は、画素表示と黒表示とを１フレーム毎に反転して表示し、かつ画像表示と黒表示とが反転するフレーム周波数が１００Ｈｚ以上であることを特徴とする請求項１または３に記載の液晶表示装置の駆動方法。
【請求項５】
前記画素領域の表示は、画素表示と黒表示とを１フレームで反転して表示し、かつ画像表示から黒表示へと反転するフレーム周期と黒表示から画像表示へと反転するフレーム周期の和が２０ｍｓ以下であることを特徴とする請求項１、３または４記載の液晶表示装置の駆動方法。
【請求項６】
画像表示から黒表示への応答速度が、黒表示から画像表示への応答速度に比べ速い液晶を用いたことを特徴とする請求項１乃至５のいずれかに記載の液晶表示装置の駆動方法。
【請求項７】
基板上に形成された複数の走査線と、
この走査線と交差する複数の信号線と、
前記走査線と前記信号線とで囲まれた画素領域とを備えた液晶表示装置において、
前記画素領域に印加される電圧の極性は２フレーム毎に反転し、かつ偶数行目の走査線は偶数フレームで反転し、かつ奇数行目の走査線は奇数フレームで反転する手段、または偶数行目の走査線は奇数フレームで反転し、奇数行目の走査線は偶数フレームで反転する手段を備えたことを特徴とする液晶表示装置。
【請求項８】
基板上に形成された複数の走査線と、
この走査線と交差する複数の信号線と、
前記走査線と前記信号線とで囲まれた画素領域とを備えた液晶表示装置において、
前記画素領域の表示は偶数本の信号線毎に黒表示と画像表示が反転し、該黒表示と画像表示は１走査線毎に反転し、さらに前記画素領域の表示は１フレーム毎に反転して繰り返し表示する手段と、
前記画素領域に印加される電圧の極性は２フレーム毎に反転し、偶数行目の走査線は偶数フレームで反転し、奇数行目の走査線は奇数フレームで反転する手段、または偶数行目の走査線は奇数フレームで反転し、奇数行目の走査線は偶数フレームで反転する手段とを備えたこと特徴とする液晶表示装置。
【請求項９】
前記画素領域に印加される電圧の極性は、同一走査線上で１信号線毎に反転し、かつ同一信号線上で２走査線毎に反転する手段を備えたことを特徴とした請求項７または８記載の液晶表示装置。
【請求項１０】
前記黒表示をしている画素領域の光を液晶表示装置内部へ反射させ、画像表示をしている画素領域へ再利用する手段を備えた請求項８または９記載の液晶表示装置。
【発明の詳細な説明】
【０００１】
【発明の属する技術分野】
本発明は、液晶表示装置の駆動方法および液晶表示装置に関し、特に動画表示を行う際の駆動方法に関する
【０００２】
【従来の技術】
従来の液晶表示装置は画像データおよび制御信号などを入力し駆動する。一般的な液晶表示装置では、液晶の応答の遅さと表示画像を１フレーム期間中保持する駆動方式のために、動画を表示した際に画像がにじんで見えるという欠点があった。また、通常の１フレームごとの反転駆動方式ではインターレース信号のような、黒−画像がくり返される信号が入力された際、液晶に直流成分が印加されることになり液晶が劣化していた。
【０００３】
上記のような液晶表示装置の欠点を改善するためにバックライトを点滅させる方法や、１フレーム期間中に画像表示と黒表示を行うなどの方式が考えられている。また、１フレーム毎に黒表示を挿入する方式や、インターレース駆動のように１走査線ごとに黒を挿入する方式が開示されている（例えば、特許文献１参照）
【０００４】
【特許文献１】
特開２００１−４２２８２号公報（４−５ページ、図１−４）
【０００５】
【発明が解決しようとする課題】
特許文献１には、１フレーム毎に画像表示と黒表示を繰り返す駆動方式における残像感や、液晶の動作上の問題による画像のゆがみなどを解消させるために、赤、緑、青の画素をデータ線３本もしくは１本おきの市松模様で黒表示と画像表示を繰り返し行い、液晶に印可する電圧の極性は２ｎフレーム毎（ｎ＝１、２、３・・・）に反転し、かつ信号線を２本おきに反転させる方法などが開示されている。しかしながら、２ｎフレーム毎に極性反転をさせると、最適な共通電極電位の面内不均一が生じ、極性の変わり目でフリッカが視認されてしまう。また、現時点で一般的に製造されているソース駆動ＩＣは１本おきの反転が主流であり、一般的なソース駆動ＩＣではこの方式を用いることができない。また、走査線１本おきに黒およびデータ表示を行う方法は、インターレース駆動のように１走査線ごとに黒を挿入する方式では黒を挿入する位置によってはちらつきが生じる。
【０００６】
そこで、本発明は前記の問題を解決するためになされたものであり、動画表示を行う際に、画像表示と黒表示とを繰り返す駆動方式において、従来のソース駆動ＩＣを使用し、単純な極性反転や画像表示方式を設定することによって、動画画質改善効果を最大限にすると共に、フリッカを防ぐ液晶表示装置の駆動方法および液晶表示装置を提供する。また、黒を挿入しない通常の駆動においても、消費電力を抑える液晶印可電圧極性反転方式を提供する。
【０００７】
【課題を解決するための手段】
本発明の液晶表示装置の駆動方法は基板上に形成された複数の走査線と、この走査線と交差する複数の信号線と、前記走査線と前記信号線とで囲まれた画素領域とを備えた液晶表示装置の駆動方法において、前記画素領域に印加される電圧の極性は２フレーム毎に反転し、かつ偶数行目の走査線は偶数フレームで反転し、奇数行目の走査線は奇数フレームで反転する工程、または偶数行目の走査線は奇数フレームで反転し、奇数行目の走査線は偶数フレームで反転する工程を含むことを特徴とするものである。
【０００８】
【発明の実施の形態】
以下、図面を参照して本実施の形態における液晶表示装置の駆動装置を説明する。
【０００９】
実施の形態１．
図１（ａ）に本実施の形態における液晶表示装置にブロック図を、図１（ｂ）に液晶表示装置の液晶層に電圧を印加するための回路構成図を示す。図において、複数の走査線１と信号線２とがマトリクス上に配置されており、囲まれた領域に画素領域３（以下画素と称する）を有する。走査線１は走査線駆動ＩＣ４に、信号線２は信号線駆動ＩＣ５（ソース駆動ＩＣ）に各々接続されており、それぞれのＩＣは制御回路６からの走査により動作する。液晶７に印加される電圧の極性は、信号線駆動ＩＣ５に入力される走査により切り替えることができ、一般的に入手できる信号線駆動ＩＣは信号線２を一本毎に極性反転するように設定されている。液晶表示装置は互いに対向する一対の基板であるＴＦＴアレイ基板と対向基板（図示せず）のうちＴＦＴアレイ基板上には走査線１、信号線２に接続されたＴＦＴ９が形成される。一方、対向基板には共通電極８が形成されている。なお、画素３に配置された透明な画素電極１０と共通電極８間の液晶７に電圧を印加させ、両電極間の電圧差でもって液晶表示装置の明るさを調整している。
【００１０】
次に液晶に印加される印加電圧の変化を図５に示す。図５（ａ）、図５（ｂ）はノーマリブラックの場合、図５（ｃ）、図５（ｄ）はノーマリホワイトの場合を示す。前述したように１フレームごとに黒表示と画像表示を繰り返す駆動方式を採用した場合、その画素に着目し、仮に既存の１フレームおきに極性が反転する駆動方式を用いた場合の液晶印加電圧の変化は必ず正極性画像表示→負極性黒表示→正極性画像表示→負極性黒表示または、負極性画像表示→正極性黒表示→負極性画像表示→正極性黒表示を繰り返すことになり、結果として液晶に直流成分が印加されつづけ、極性が正極性または負極性に偏ってしまう。このため画像やきつきなどが引き起こされ液晶劣化をもたらす。これを解消するには液晶印加電圧の極性の入れ替わるフレーム数を２の倍数にし、極性を相殺させる必要がある。
【００１１】
上述した通り、画素３の明るさは画素電極１０と共通電極８間の電圧の絶対値によって支配されている。例えば、ノーマリーホワイトモードの液晶駆動においては、画素電極と共通電極の電圧差に依存して光透過率は変化する。よってこの電圧差が増加するにつれて画素の明るさが変化する。図６に示すようにたとえば、最適共通電極電位１１においては正極性の液晶印加電圧１３と負極性の印加電圧１４とは電位差がなく明るさの変化はない理想的な液晶印加電圧となっている。しかし、最適共通電極電位１１が、例えば−側にシフトして実際の共通電極電位１５であるとき正極性の印加電圧１６は大きく、負極性の印加電圧１７は小さくなり明るさが変化してしまう。このように共通電極電位の変化（面内不均一）により同じ階調で画像表示を行ったとしても、正極性で画像を表示している場合と負極性で画像を表示している場合とでは明るさが変わる。
【００１２】
網膜に視認される画像は画像表示時であり、上述した通り、液晶印加電圧極性を２の倍数毎に反転する駆動方式をとると、画像表示はある画素において２ｎフレームおきとなるが、同じ階調の画像表示をしても、電圧差があると正極性で画像を表示しているときの明るさと負極性で画像を表示しているときの明るさが２ｎフレーム毎に変化する。従来の黒表示を挿入せず、かつ液晶印加電圧極性を入れ替えるフレームを１とした駆動方式では、約６０Ｈｚ付近のフレーム周波数で変化するため、その変化はほとんど視認されないが、黒表示を挿入する駆動方式の場合、最高でも約３０Ｈｚ（２フレーム）での明暗が連続するため、視認されやすくなる。前記液晶印加電圧極性の入れ替わるフレームの数は大きくなると変化する間隔が大きくなり、明暗が視認され、フリッカとなりやすくなるため、液晶印加電圧の極性の入れ替わるフレームの数は２が最適である。
【００１３】
このため、液晶印加電圧の極性は２フレーム毎に反転させる。さらにフリッカを防ぐために図３のように偶数行目の走査線は偶数フレームで反転させ、奇数行目の走査線は奇数フレームで反転させる。もしくは図４のように液晶印加電圧の極性は２フレーム毎に反転させ、偶数行目の走査線は奇数フレームで反転させ、奇数行目の走査線は偶数フレームで反転させてもよい。
【００１４】
また、黒を挿入する駆動方式においてはフレーム周波数を１００Ｈｚ以上とすることでさらにフリッカを防ぐことができる。
【００１５】
図２に本実施の形態における液晶表示装置の駆動方式の一例を示す。図中の＋、−は、画素に印加される電圧の極性を示している。符号（＋）の正極性では共通電極電圧に対してプラス電圧が印加され、符号（−）の負極性ではマイナス電圧が印加される。また、画素の表示は黒表示を行う画素は網掛けで表示しており、それ以外は画像表示を行うことを示す。
【００１６】
画素に印加する電圧の極性は２フレーム毎に反転させ、偶数行目の走査線は偶数フレームで反転させ、奇数フレームは奇数フレームで反転させる。さらに１走査線上の極性反転は標準の信号線駆動ＩＣ５を用いるため、１信号線毎に極性を反転させ、縦方向は２走査線毎に極性を反転させる。このような駆動方式とすることで、さらにフリッカが目立たず、横方向および縦方向のクロストークが生じにくくなる。
【００１７】
また、画素の表示は黒表示を挿入する駆動方式の場合に、明暗が視認され、フリッカとなりやすくなるため、上記の反転方式に加え、黒表示を全面に挿入せず、空間的に散らす配置とすることもできる。このような構成とすることで、既存の液晶表示から大掛かりな変更を加えることなく黒表示の挿入を行うことができる。もっとも緻密に黒表示を散らす配置は図７に示すように市松模様である。これにより数画素単位での明るさの変化は平滑され（ちりばめられ）、目にフリッカを防ぐことができる。
【００１８】
しかし、この市松模様にて画像表示を行い、本実施の形態１で示した反転方式を用いたとしても、表示上問題が生じる場合がある。ある走査線に着目してみると、同一走査線上で奇数本の信号線おきに黒表示の挿入を行うと、その走査線上では画像表示をしている画素は正極性または負極性である場合の割合が反対の極性に比べて大きくなってしまい、前述したように共通電極電位のシフトによって走査線が明るいもしくは暗いといった現象が生じる。したがって図７のような市松模様の黒表示の挿入を行う場合、２走査線おきの明暗筋が見えてしまう。
【００１９】
このような２走査線おきの明暗筋を防ぐため、同一走査線上で黒表示の挿入を行う場所は、図２に示すように偶数信号線毎であることが望ましい。好ましくはもっとも緻密にできる２本おきである。走査線間での黒表示の挿入は何本周期で挿入してもよいが、好ましくは最も緻密にできる１本おきである。図２に示すように画像表示は２画素毎に黒表示が挿入されており、また、１走査線ごとに挿入場所を入れ替える。さらにはこのフレームが１フレームおきに入れ替わることを特徴としている。
【００２０】
さらには近年液晶表示装置上でＮＴＳＣ等の走査線を一本おきに飛ばして（飛び越し走査ともいわれる）走査線を２回（フィールド）に分けて走査し、２フィールドで一枚の画が完成する方式であるインターレース走査駆動をインターレース―プログレッシブ変換（ＩＰ変換）したデータを表示する場合が増えており、ＩＰ変換方式によっては特に静止画で、１フレームおきに画像表示と黒表示を繰り返す画素が生じる場合があるが、本方式を用いることによって、自動的に印加電圧極性偏りが相殺されるため、液晶劣化を防ぐことができる。
【００２１】
本実施の形態１の駆動方式を使用した液晶表示装置において、１フレームおきに黒表示と画像表示を繰り返す表示方式では、入手が容易なソース駆動ＩＣを用いて、上記説明したような極性反転方式を用いると、液晶印加電圧の極性の偏りによる液晶の劣化を防ぐことができ、表示画像のフリッカを最小限に抑えることができ、動画画像における画質を改善することができる。さらに黒表示を全面に挿入せず空間的に散らす配置とすることでフリッカを防ぐことができる。
【００２２】
また、本実施の形態１の極性反転方式は黒表示を挿入しない駆動方式においても使用することができ、その際、基本的に２走査線毎および、画素の極性も２フレームで入れ替わるため、液晶へ印加する電圧の極性が切り替る回数が減り、低消費電力化が図れる。
実施の形態２．
【００２３】
上記実施の形態２では画像表示と黒表示を繰り返す駆動方式において、動画改善効果を最大にする方式において説明する。一般に液晶表示装置は画像表示を連続して表示するために、一定時間保持するホールド型駆動をする。このため、前画面が目に焼き付いて次画面を表示したときまで残ってしまい、画像が重なって見える。このような現象により、動画を表示させる際に画像の輪郭がにじんで見える。これを解決するために液晶表示装置から発せられる光をできるだけＣＲＴなどのように、走査した瞬間に高輝度で画素を発光させるインパルス方式などを使用し、画像が直前の画像と重なることが無く動画をにじまないようにする。
【００２４】
液晶表示装置におけるインパルス方式を説明する。例えば、画像表示と黒表示が反転する表示方式では、画像表示が１フレーム表示され、ホールドされた後、黒画像が１フレーム表示される。この状態では画像表示されている１フレーム期間、画像はホールドするので、画像が表示される期間であるインパルス期間は５０％となる。例えばフレーム周波数が６０Ｈｚの場合、目に積算される画像が表示されるホールド期間は約１７ｍｓとなり、例えば応答速度が無限に速い液晶を用いた場合であっても通常の駆動と比較しても画像のにじみは同様のものである。
【００２５】
そこで、黒以外の表示から黒表示への応答速度が黒表示から黒以外の表示への応答速度に比較して速い液晶を用いる。このような液晶を用いる構成とすることで、画像表示される時間が短くなるため、画像ホールド期間を短くすることができる。このため、画像が直前の画像と重なることがなく、動画表示の際、画像のにじみが解消され、表示品質を向上することができる。しかし、６０Ｈｚのフレーム周波数では画像の明暗が視認される場合があるため、少なくとも１００Ｈｚ以上のフレーム周波数で駆動することが望ましい。また、画像表示が１フレーム表示され、黒表示が１フレーム表示される時間がたとえば、６０Ｈｚの場合はそれぞれ約１７ｍｓであるが、黒以外の表示から黒表示への応答速度が黒表示から黒以外の表示への応答速度に比較して速い液晶を用いるため、画像ホールド時間を短く設定することができる。望ましくは、画像表示が１フレーム表示される時間と黒表示が１フレーム表示される時間の和、すなわち画像表示から黒表示へと反転するフレーム周期と黒表示から画像表示へと反転するフレーム周期の和が２０ｍｓ以下であると動画表示の際のにじみが解消され、表示品質を向上することができる。また、このときの極性は実施の形態１で説明した駆動方法を使用することによって、さらにフリッカを防止することができる。
【００２６】
この駆動方法は公知のフレームメモリなどを表示装置内に設置することによって実現できる。
【００２７】
また、インターレース駆動や、実施の形態１のような画像表示時に黒表示を挿入するパターンを用いる駆動方式においても、黒以外の階調表示から、黒への階調表示の応答速度が黒から黒以外の階調表示への応答速度よりも速い液晶を用いると動画画質改善効果が大きくなる。
【００２８】
また、図８に示すインターレース駆動において、上記と同様に応答速度が無限に速い液晶を用いた場合、画素毎に見ると黒と画像表示を繰り返しているが、これも前述同様、同じ画像が１フレーム期間中保持していることになり、あまり動画画質改善効果を期待できない可能性がある。そこで黒以外の階調表示から、黒への応答速度が速い液晶を用いた場合では図９に示すような表示となり、目に積算される画像表示期間は短くなり、動画画質改善効果が大きくなる。更に有限の応答速度を持つ液晶を用いた通常駆動においては、フレームでの画像が切り替る時に前の画像と新しい画像が重なり合った２重画像が表示されることになるが、本方式では一度、黒表示にリセットされるため毎回新しい画像のみが表示されることになり画像がにじんで見えることがなくなり、動画画質改善効果が大きくなる。
【００２９】
本実施の形態２においては、黒以外の表示から黒表示への応答速度が黒表示から黒以外の表示への応答速度に比較して速い液晶を用いることによって、画像ホールド期間を短くすることができる。このため、画像が直前の画像と重なることがなく、動画表示の際のにじみが解消され、表示品質を向上できる。
【００３０】
さらにフレーム周波数を速く設定したり、黒表示もしくは画像表示の１フレーム期間の和を設定することで画像ホールド期間を短くすることができるため、画像が直前の画像と重なることがなく、動画表示の際、にじみが解消され、表示品質を向上できる。
実施の形態３．
【００３１】
上記説明した通り実施の形態１、２に説明した液晶表示装置の駆動方法においては、画像表示時間が短ければ短いほど動画画質改善効果は大きいが、黒表示を挿入させる方式のため、輝度が低下される場合がある。これを解決するために黒表示される画素に発せられた光を液晶表示装置内部へ反射させ画像表示されている画素へ再利用する方法を用いる。
【００３２】
図１０に示すように、黒表示の際にバックライト２２から発せられ、液晶セル１８を通過した光を偏光させ再利用するために、位相差を発生させる光学フィルム２０をカラーフィルタ基板１９上に挿入させる。その上部にさらに偏光に変換された光を選択的に反射させることができるコレステリック液晶層２１を設ける構造とする。コレステリック液晶層２１では、左円偏光を選択的に反射させることができる。
バックライトから発せられた光は偏光板２４によって、直線偏光になる。黒表示状態では、そのままの偏光状態で光が液晶セル１８を透過するが、白表示状態では偏光状態が９０度ねじれた状態の直線偏光となる。液晶パネル１９を透過した光は光学フィルム２０に入射する。光学フィルム２０では直線偏光が円偏光になるようλ／４の位相差が発生するが、黒表示状態と白表示状態では直線偏光の角度が９０度異なるのでそれぞれ左円偏光と右円偏光となる。コレステリック液晶層２１では左円偏光の光を選択的に反射させることができるため、黒表示状態では光が反射する。この反射させた光は光学フィルム２０を通過し、直線偏光に変換され、バックライト光源まで戻り、画素領域（画像表示）へと導かれる（再利用）ことが可能となる。なお、白表示状態ではその光は偏光状態のままコレステリック液晶層２１を通過し、表示面から出射する。
【００３３】
上記は一例を説明したが、黒表示状態において、液晶セルを通過した光を液晶セル内に反射させて、画像表示に再利用させる構造は種々変更可能である。
【００３４】
本実施の形態３とすることで、黒表示状態では光を反射し、この反射した光はさらに光学フィルムを通って直線偏光に変換され、液晶セルさらにはバックライト光源まで戻り、再利用することが可能となる。
【００３５】
また、実施の形態１〜３においてはアクティブマトリクス型の液晶表示装置について説明してきたが、パッシブ型の液晶表示装置において使用することも可能である。
【発明の効果】
本発明の液晶表示装置の駆動方法は、以上説明したように、基板上に形成された複数の走査線と、この走査線と交差する複数の信号線と、前記走査線と前記信号線とで囲まれた画素領域とを備えた液晶表示装置の駆動方法において、前記画素領域に印加される電圧の極性は２フレーム毎に反転し、かつ偶数行目の走査線は偶数フレームで反転し、奇数行目の走査線は奇数フレームで反転する工程、または偶数行目の走査線は奇数フレームで反転し、奇数行目の走査線は偶数フレームで反転する工程を含むことを特徴としたので、１フレームおきに黒表示と画像表示を繰り返す表示方式では、入手が容易なソース駆動ＩＣを用いて、上記説明したような極性反転方式を用いると、液晶印加電圧の極性の偏りによる液晶の劣化を防ぐことができ、表示画像のフリッカを最小限に抑えることができ、動画画像における画質を改善することができる。
【図面の簡単な説明】
【図１】図１（ａ）は、本実施の形態を説明するブロック図であり、図１（ｂ）は、本実施の形態を説明する回路構成図である。
【図２】本実施の形態における液晶表示装置の駆動方法の一例である。
【図３】本実施の形態における液晶表示装置の駆動方法の一例である。
【図４】本実施の形態における液晶表示装置の駆動方法の一例である。
【図５】本実施の形態における液晶表示装置の液晶に印加される印加電圧の変化を示す図である。
【図６】本実施の形態における液晶表示装置の液晶に印加される印加電圧の変化を示す図である。
【図７】本実施の形態における液晶表示装置の駆動方法の一例である。
【図８】本実施の形態における液晶表示装置の駆動方法の一例である。
【図９】本実施の形態における液晶表示装置の駆動方法の一例である。
【図１０】本実施の形態における液晶表示装置の一例である。
【符号の説明】
１：  走査線                    １３：正極性液晶印加電圧
２：  信号線                    １４：負極性液晶印加電圧
３：  画素領域                  １５：実際の共通電極電圧
４：  走査線駆動ＩＣ            １６：実際の正極性液晶印加電圧
５：  信号線駆動ＩＣ            １７：実際の負極性液晶印加電圧
６：  制御回路                  １８：液晶セル
７：  液晶                      １９：カラーフィルタ基板
８：  共通電極                  ２０：光学フィルム
９：  ＴＦＴ                    ２１：コレステリック液晶層
１０：  画素電極                  ２２：バックライト
１１：  最適共通電極電位          ２３：ＴＦＴアレイ基板
２４：  偏光板
【図１】
2004271719.tif 000003
【図２】
2004271719.tif 000004
【図３】
2004271719.tif 000005
【図４】
2004271719.tif 000006
【図５】
2004271719.tif 000007
【図６】
2004271719.tif 000008
【図７】
2004271719.tif 000009
【図８】
2004271719.tif 000010
【図９】
2004271719.tif 000011
【図１０】
2004271719.tif 000012